(57)【要約】      （修正有）【課題】簡易かつ低コストでありながら、カードを受け取った人が視覚、聴覚及び嗅覚で楽しむことができる融合カードを提供する。【解決手段】カード３０の表面に、メッセージ３０ａ及びイラスト３０ｂが印刷されるとともに、香りの物質３０ｄが形成される。カード３０の裏面に、音楽にアクセスするための情報がコード化された二次元バーコード３０ｇが印刷されてなる融合カード。メッセージ、イラスト、香り、及び音楽のデータは、インターネット上でアクセス可能なサーバのデータベースに記憶され、ユーザが任意に選択可能とする。【選択図】図３
0003182168.tif 000002
【実用新案登録請求の範囲】
【請求項１】
表面に、メッセージ及びイラストが印刷されるとともに、香りの物質が形成され、
裏面に、音楽にアクセスするための情報がコード化された二次元バーコードが印刷されてなる融合カードであり、
前記イラスト、香り、及び音楽のデータは、インターネット上でアクセス可能なサーバのデータベースに記憶されたものであって、前記イラストのデータは、該サーバが提供する電子的な複数の仮想ショップ毎に該データベースに記憶されたものである、香りと音楽の融合カード。
【請求項２】
表面に、メッセージ及びイラストが印刷されるとともに、前記イラストに関連する香りの物質が形成され、
裏面に、前記イラストに関連する音楽にアクセスするための情報がコード化された二次元バーコードが印刷されてなる融合カードであり、
前記イラスト、香り、及び音楽のデータは、インターネット上でアクセス可能なサーバが提供する電子的な複数の仮想ショップに関連させて、仮想ショップ毎に予め関連付けられて該サーバのデータベースに記憶されたものである、香りと音楽の融合カード。
【考案の詳細な説明】
【技術分野】
【０００１】
本考案は、香りと音楽の融合カードに関する。
【背景技術】
【０００２】
クリスマスカードやグリーティングカード、あるいは名刺等のカード類において、香料等をカードに印刷することが行われている。
【０００３】
例えば、下記の特許文献１には、表板と裏板により構成されるカードにおいて、裏板に、音発生回路と、これに接続されたスピーカと、音発生回路に電力を供給する電池と、電池の電力供給をオンオフするスイッチ手段とを埋設するとともに、カードの一部にスピーカから発生される音と関連する香りの香料印刷を行うことが記載されている。カードが開かれた時に音を発生させ、香りを発生させるとしている。
【先行技術文献】
【特許文献】
【０００４】
【特許文献１】特開平７−１４４４９２号公報
【考案の概要】
【考案が解決しようとする課題】
【０００５】
しかしながら、上記従来技術では、基本的に表板と裏板により構成されるカードを前提としており、このため名刺等のように表板と裏板が存在しない場合には適用することができない問題がある。
【０００６】
また、音発生回路や、この音発生回路に電力を供給する電池等を組む込む構成では、名刺や販促用のカード等、基本的に多数の人に配布することを前提としたカードに適用するのは構造上及びコスト上から困難である。
【０００７】
本考案の目的は、簡易かつ低コストでありながら、カードにメッセージ、イラスト、香り及び音楽を付加させることができ、当該カードを受け取った人が視覚、聴覚及び嗅覚で楽しむことができるカードを提供することにある。
【課題を解決するための手段】
【０００８】
本考案は、表面に、メッセージ及びイラストが印刷されるとともに、香りの物質が形成され、裏面に、音楽にアクセスするための情報がコード化された二次元バーコードが印刷されてなる融合カードであり、前記イラスト、香り、及び音楽のデータは、インターネット上でアクセス可能なサーバのデータベースに記憶されたものであって、前記イラストのデータは、該サーバが提供する電子的な複数の仮想ショップ毎に該データベースに記憶されたものである、香りと音楽の融合カードである。
【０００９】
また、本考案は、表面に、メッセージ及びイラストが印刷されるとともに、前記イラストに関連する香りの物質が形成され、裏面に、前記イラストに関連する音楽にアクセスするための情報がコード化された二次元バーコードが印刷されてなる融合カードであり、前記イラスト、香り、及び音楽のデータは、インターネット上でアクセス可能なサーバが提供する電子的な複数の仮想ショップに関連させて、仮想ショップ毎に予め関連付けられて該サーバのデータベースに記憶されたものである、香りと音楽の融合カードである。
【考案の効果】
【００１０】
本考案によれば、メッセージ、イラスト及び香りを表面に配置し、二次元バーコードを裏面に配置することで、視覚、聴覚、及び嗅覚に効果的に訴えるカードを得ることができる。すなわち、直ちに感知できるメッセージやイラスト、香りを表面に配置し、アクセス上の多少のタイムラグを有する音楽を裏面に配置することで、表面の情報過多によるメッセージ性の希釈を抑制しつつ、カードの表面と裏面を効果的に活用してカードの魅力を高めることができる。
【図面の簡単な説明】
【００１１】
【図１】実施形態におけるカード提供システムのシステム構成図である。
【図２】ユーザ端末の表示画面説明図である。
【図３】カードの表面及び裏面の説明図である。
【考案を実施するための形態】
【００１２】
以下、図面に基づき本考案の実施形態について説明する。
【００１３】
図１に、本実施形態におけるカード提供システムのシステム構成図を示す。システムは、ユーザ端末１０と、サーバ１００から構成され、ユーザ端末１０とサーバ１００はインターネット等の通信回線２０で接続される。
【００１４】
ユーザは、ユーザ端末１０を用いてインターネット等の通信回線２０を介してサーバ１００に接続し、サーバ１００が提供するｗｅｂページにアクセスする。
【００１５】
サーバ１００は、ｗｅｂサーバ及びデータベースを備え、ユーザ端末１０からのアクセス要求に応じて、カードを提供するための専用ｗｅｂページをユーザ端末１０に提供する。サーバ１００は、ユーザ端末１０から必要に応じてユーザＩＤを受け付け、カードを作成して提供するために必要な各種情報を受け付ける。サーバ１００は、ｗｅｂページ内に、複数の仮想ショップ（電子ショップ）を開設し、各仮想ショップにおいて、それぞれの仮想ショップ毎のカードのテンプレートデータを提供する。仮想ショップ毎のカードのテンプレートデータは、サーバ１００のデータベースに記憶される。
【００１６】
ユーザは、ユーザ端末１０から所望の仮想ショップにアクセスし、仮想ショップに提供されているカードのテンプレートから所望のテンプレートを選択する。カードのテンプレートは、以下の４つの構成要素を含む。
（１）メッセージ
（２）イラスト
（３）香り
（４）音楽
【００１７】
なお、メッセージやイラストについては、仮想ショップによってはユーザが予め用意されたテンプレート以外に、自己の望むメッセージデータやイラストデータをユーザ端末１０からサーバ１００に送信し、サーバ１００側でユーザから送信されたメッセージデータやイラストデータをカードに組み込むことが可能とすることもできる。
【００１８】
メッセージ、イラスト、香り、音楽は、複数の仮想ショップにそれぞれ用意されるが、例えば、仮想ショップ毎にそのショップに相応しいイラストが３０種類程度用意され、メッセージ、香り、音楽については複数の仮想ショップで共通に用意される。
【００１９】
サーバ１００のデータベースには、メッセージ、イラスト、香り、音楽がテーブル形式で記憶されており、ユーザは、ユーザ端末１０に提供された選択肢の中から、所望のメッセージ、イラスト、香り及び音楽を選択して所望のカードを作成することができる。具体的には、ユーザは、気に入った仮想ショップにアクセスし、３０種類のイラストから所望のイラストを選択し、５つ程度のメッセージから所望のメッセージを選択し、５つ程度の香りから所望の香りを選択し、７０曲程度の音楽から所望の音楽を選択する。なお、音楽に関しては、「優しい音楽」、「可愛い音楽」、「軽快な音楽」等の分類や、作曲者からの簡単なメッセージを参考にして選択することが望ましい。
【００２０】
サーバ１００は、ユーザ端末１０から送信されたデータに基づいてカード３０を印刷・作成すると、このカード３０をユーザに配送する。カード３０の印刷・作成は、サーバ１００で行ってもよく、あるいはサーバ１００から印刷に必要なデータを印刷会社に提供し、印刷会社で印刷・作成してユーザに配送してもよい。サーバ１００は、メッセージ及びイラストについては通常の印刷を行い、香りについては水性インクをフィルムマスクを介してエアブラシで吹き付けることにより低コストでの大量生産を可能とする。音楽については選択された音楽にアクセスするためのＵＲＬをコード化したＱＲコード（登録商標）の形式で印刷する。
【００２１】
図２に、ユーザ端末１０の画面１２に表示される、サーバ１００が提供するｗｅｂページの一例を示す。杜の中に複数のショップが散在する様子を模したものである。各ショップは電子的な仮想ショップであり、その業態は、例えばマリンショップ、ペットショップ、アウトドアショップ、フィッシングショップ、手芸ショップ、楽器ショップ、サイクルショップ、雑貨ショップ、スイーツショップ等である。
【００２２】
ユーザは、ユーザ端末１０の画面１２に表示されたこれらの仮想ショップの中から、所望の仮想ショップをクリックする等して選択する。サーバ１００は、データベースにアクセスし、ユーザにより選択された仮想ショップのカードのテンプレートをデータベースから読み出してユーザ端末１０に提供する。
【００２３】
例えば、ユーザがアウトドアショップを選択した場合、サーバ１００は、このアウトドアショップのメッセージ、イラスト、香り、音楽の選択肢をメニューとしてユーザ端末１０の画面１２に表示する。なお、メッセージについてはユーザがユーザ端末１０から自由に入力してサーバ１００に送信してもよいことは既述した通りである。アウトドアショップに関連付けられたイラストのテンプレートとしては、
Ｉａ＝森のイラスト
Ｉｂ＝川のイラスト
ＩＣ＝海のイラスト
等がある。メッセージや香り、音楽については全ての仮想ショップで共通であり、例えばユーザは、ユーザ端末１０に表示されたメッセージメニューから「ありがとう」や「Ｔｈａｎｋ  ｙｏｕ」を選択し、香りのメニューから「森の香り」を選択し、音楽のメニューから「森のクラシック」を選択する。ユーザによりカードの構成要素であるメッセージ、イラスト、香り、音楽が全て決定されると、サーバ１００あるいはこのサーバ１００からデータの提供を受けた印刷所においてカード３０を印刷・作成する。
【００２４】
図３に、カード３０の具体例を示す。図３（ａ）はカード３０の表面であり、図３（ｂ）はカード３０の裏面である。
【００２５】
図３（ａ）に示すように、カード３０の表面には、メッセージ３０ａ、イラスト３０ｂ、及びイラスト３０ｂの名前と作者の名前３０ｃが印刷される。メッセージ３０ａは、ユーザがサーバ１００の提供するテンプレートから選択したメッセージあるいはユーザ端末１０から自由に入力したメッセージである。イラスト３０ｂは、ユーザがサーバ１００の提供するテンプレート、すなわち仮想ショップ毎に用意されたテンプレートから選択したイラストである。また、カード３０の表面には、香りの物質３０ｄが水性インクをエアブラシで吹き付けることで形成される。香りの物質３０ｄは、図ではイラスト３０ｄの下部に形成されているが、その位置は表面の任意の位置に形成できる。香りの物質３０ｄは、図ではハッチング表示されているが、透明に形成してもよく、この場合にはイラスト３０ｂの一部あるいは全部と重畳するように形成してもよい。また、香りの物質３０ｄの位置も基本的にはテンプレートで規定されるが、香りの物質３０ｄの種類のみならず、香りの物質３０ｄの位置についてもユーザが複数のテンプレートから選択できるようにしてもよい。
【００２６】
他方、図３（ｂ）に示すように、カード３０の裏面には、社会活動の告知文３０ｅ、メッセージ３０ｆ、ＱＲコード（登録商標）３０ｇ、ＱＲコード（登録商標）３０ｇでアクセスできる音楽の曲名と作曲者名３０ｈ、仮想ショップ名３０ｉが印刷される。
【００２７】
ＱＲコード（登録商標）３０ｇは、ユーザが選択した音楽が記憶されているデータベースのＵＲＬをコードとして含んでおり、携帯電話等で撮影し、携帯電話等にインストールされているＱＲコード（登録商標）リーダ等のアプリケーションを起動することでＱＲコード（登録商標）３０ｇをデコードし、そこに含まれているＵＲＬを読み出して所望の音楽データにアクセスすることができる。また、裏面にも、メッセージ３０ｆが印刷されるが、このメッセージ３０ｆは、表面のメッセージ３０ａと同一でもよく、あるいは互いに異なったものでもよい。また、裏面のメッセージ３０ｆはなくてもよく、単に、ＱＲコード（登録商標）３０ｇと仮想ショップ名３０ｉのみが印刷されていてもよい。
【００２８】
このように、カード３０の表面にメッセージ３０ａ、イラスト３０ｂ、香りの物質３０ｄを形成し、カード３０の裏面に音楽にアクセスするためのＱＲコード（登録商標）３０ｇを形成することで、カード３０をユーザから配布された人は、まず、カード３０の表面のメッセージ３０ａ及びイラスト３０ｂを視認してカード３０を楽しむことができ、かつ、表面の香りの物質３０ｄにより当該イラスト３０ｂに関連した香りを楽しむことができる。イラスト３０ｂ及び香りの物質３０ｄにより、ユーザのメッセージをより感覚的あるいは直感的に感じ取ることが可能となろう。
【００２９】
さらに、カード３０を裏返して裏面を視認することで、ＱＲコード（登録商標）３０ｇを確認することができ、ＱＲコード（登録商標）３０ｇの下部に音楽の名前と作曲者３０ｈが印刷されていることで、カード３０の配布を受けた人は、ＱＲコード（登録商標）３０ｇを携帯電話等で撮影することで音楽を聴くことができることを容易に認識し、かつ、実際にアクセスしてイラスト３０ｂ及び香り３０ｄに関連した音楽を聴くことで、より相乗的にユーザのメッセージを感じ取ることができる。
【００３０】
なお、カード３０の表面にメッセージ３０ａ、イラスト３０ｂ、香りの物質３０ｄ、音楽のＱＲコード（登録商標）３０ｇを全て形成することも考えられるが、全てを一つの面に形成するのは情報が過多となって煩雑となり、メッセージ３０ａやイラスト３０ｂの効果が逆に希釈してしまうおそれがある。また、メッセージ３０ａやイラスト３０ｂ、香りの物質３０ｄは、その場で直ちに視認でき、あるいは嗅覚で感知することが可能であるが、ＱＲコード（登録商標）３０ｇは携帯電話等で撮影してデコードし、音楽が記憶されているデータベースにアクセスして初めて聴くことが可能であることから、その感知のタイミングが若干ずれることになる。従って、その場で直ちに感知できるメッセージ３０ａ、イラスト３０ｂ、香りの物質３０ｄに関してはカード３０の表面に形成し、感知までにある程度の時間を要するＱＲコード（登録商標）３０ｇに関しては表面ではなく裏面に形成することで、カード３０の効果をより高めることができる。本考案は、視覚的に感知できるメッセージ及びイラストと、嗅覚的に感知できる香りと、聴覚的に感知できる音楽とを一つのカード３０に融合させるとともに、これらの感知タイミングを考慮してカード３０の表面と裏面に適応的に分配配置することで、従来にない顕著な効果を奏するものといえる。
【００３１】
本実施形態では、カード３０に基本構成要素としてメッセージ、イラスト、香り、音楽を付加しているが、これに加えてさらに別の構成要素を付加してもよい。但し、この場合においても、視覚あるいは嗅覚で感知できるものはカード３０の表面に配置し、聴覚で感知できるものはカード３０の裏面に配置することが好適である。
【００３２】
また、本実施形態では、音楽にアクセスするための情報としてＱＲコード（登録商標）３０ｇをカード３０の裏面に形成しているが、ＱＲコード（登録商標）３０ｇは一例であり、音楽にアクセスするための情報をコード化した任意の二次元バーコードを用いることができる。二次元バーコードは、カード３０の裏面に印刷することが容易であってコスト低下を図ることができる。
【００３３】
また、本実施形態では、基本的に、ユーザがメッセージ、イラスト、香り、音楽をそれぞれ個別に選択する構成であるが、香り及び音楽をイラストに関連付けることもできる。サーバ１００のデータベースに、イラストと香りと音楽を互いに関連つけ、これらの可能な組み合わせがそれぞれの仮想ショップ毎にテーブル形式で記憶されており、ユーザがイラストのテンプレートを選択すると、これに連動して、関連する香りの可能な組み合わせ、及び可能な音楽の組み合わせを抽出して、選択可能なテンプレートとしてユーザ端末に表示される。ユーザは、ユーザ端末１０に表示された可能な組み合わせの中から、所望の香り及び所望の音楽を選択して所望のカードを作成する。
【００３４】
また、サーバ１００において、ユーザが実際に選択したイラスト、香り、音楽の組み合わせを仮想ショップ毎に統計処理し、選択された頻度が高い組み合わせを「ランキング」としてユーザ端末１０に提示してユーザが選択する際の参考データに供することも可能である。例えば、ある仮想ショップでは、（イラストＩａ、香りＳａ、音楽Ｍａ）の組み合わせが人気が高いとしてユーザ端末１０に表示し、別の異なる仮想ショップでは（イラストＩｂ、香りＳｂ、音楽Ｍｂ）の組み合わせが人気が高いとしてユーザ端末１０に表示する等である。これとは別に、仮想ショップ毎に、イラスト、香り、音楽の個別ランキングをユーザ端末１０に表示してもよい。
【符号の説明】
【００３５】
１０  ユーザ端末、１２  ユーザ端末画面、２０  通信回線、３０  カード、３０ａ  メッセージ、３０ｂ  イラスト、３０ｄ  香りの物質、３０ｇ  ＱＲコード（登録商標）、１００  サーバ。
【図１】
0003182168.tif 000003
【図２】
0003182168.tif 000004
【図３】
0003182168.tif 000005
【手続補正書】
【提出日】平成24年12月21日(2012.12.21)
【手続補正１】
【補正対象書類名】実用新案登録請求の範囲
【補正対象項目名】全文
【補正方法】変更
【補正の内容】
【実用新案登録請求の範囲】
【請求項１】
表面に、メッセージ及びイラストが印刷されるとともに、香りの物質が印刷され、
裏面に、音楽にアクセスするための情報がコード化された二次元バーコードが印刷されてなる融合カード。
【請求項２】
表面に、メッセージ及びイラストが印刷されるとともに、前記イラストに関連する香りの物質が印刷され、
裏面に、前記イラストに関連する音楽にアクセスするための情報がコード化された二次元バーコードが印刷されてなる融合カード。